(57)【要約】【課題】回線自体に何ら障害が発生していないにもかかわらず、放送波の一部が途絶した場合でも異常を検知して予備回線に切り換え、また放送波の一部が途絶しても、放送の休止時にはそれを異常とは判断せずに回線を切り換えないようにする。【解決手段】伝送線路１１９又は予備回線１４６のうち、伝送線路１１９が選択されているとき、伝送線路１１９からの入力信号が出力され、検波器１２３により、伝送線路１１９からの入力信号の出力の変動とスケジュール情報（送信有無情報）とを基に、切換スイッチ１３１による切り換えが制御されるようにした。【選択図】図２
2009124545.tif 000002
【特許請求の範囲】
【請求項１】
伝送システムにおける、本線及び少なくとも１本の予備回線で構成された複数の伝送線路からの入力信号を切り換える伝送線路選択切換装置であって、
複数の伝送線路のいずれかを選択し、該選択した伝送線路からの入力信号を出力する回線切換手段と、
前記本線からの入力信号を検波して出力する第１の検波手段と、
該第１の検波手段の出力の変動と前記伝送システムにおける送信有無を示す送信有無情報とに基づき前記回線切換手段による切り換えを制御する制御手段とを備え、
前記制御手段は、前記出力の変動があるとき、前記送信有無情報に基づき異常の有無を判断し、異常と判断した場合は前記回線切換手段による切り換えを制御する
ことを特徴とする伝送線路選択切換装置。
【請求項２】
前記制御手段は、前記送信有無情報に送信なしが示されていれば正常と判断し、前記送信有無情報に送信ありが示されていれば異常と判断して前記回線切換手段による切り換えを制御することを特徴とする請求項１に記載の伝送線路選択切換装置。
【請求項３】
前記本線からの入力信号を分配する分配手段と、
該分配手段によって分配された入力信号から所定の信号を抽出する信号抽出手段と、
該信号抽出手段の出力を検波して出力する第２の検波手段とを備え、
前記制御手段は、前記第２の検波手段の出力の変動に応じて異常の内容を判断する
ことを特徴とする請求項１又は２に記載の伝送線路選択切換装置。
【請求項４】
前記信号抽出手段によって抽出される信号はパイロット信号であることを特徴とする請求項３に記載の伝送線路選択切換装置。
【請求項５】
伝送システムにおける、本線及び少なくとも１本の予備回線で構成された複数の伝送線路からの入力信号を切り換える伝送線路選択切換方法であって、
回線切換手段により、複数の伝送線路のいずれかを選択し、該選択した伝送線路からの入力信号を出力する工程と、
第１の検波手段により、前記本線からの入力信号を検波して出力する工程と、
制御手段により、該第１の検波手段の出力の変動と前記伝送システムにおける送信有無を示す送信有無情報とに基づき前記回線切換手段による切り換えを制御する工程とを有し、
前記制御手段は、前記出力の変動があるとき、前記送信有無情報に基づき異常の有無を判断し、異常と判断した場合は前記回線切換手段による切り換えを制御する
ことを特徴とする伝送線路選択切換方法。
【請求項６】
前記制御手段は、前記送信有無情報に送信なしが示されていれば正常と判断し、前記送信有無情報に送信ありが示されていれば異常と判断して前記回線切換手段による切り換えを制御することを特徴とする請求項５に記載の伝送線路選択切換方法。
【請求項７】
分配手段により、前記本線からの入力信号を分配する工程と、
信号抽出手段により、該分配手段によって分配された入力信号から所定の信号を抽出する工程と、
第２の検波手段により、該信号抽出手段の出力を検波して出力する工程とを有し、
前記制御手段により、前記第２の検波手段の出力の変動に応じて異常の内容を判断する
ことを特徴とする請求項５又は６に記載の伝送線路選択切換方法。
【請求項８】
前記信号抽出手段によって抽出される信号はパイロット信号であることを特徴とする請求項７に記載の伝送線路選択切換方法。
【発明の詳細な説明】
【技術分野】
【０００１】
本発明は、冗長を考慮した光ＣＡＴＶ等の伝送システムにおける、伝送線路の切断等の異常発生時に自動的に正常な伝送線路を選択する伝送線路選択切換装置及び伝送線路選択切換方法に関する。
【背景技術】
【０００２】
複数の端局を並行する複数の伝送線路を用いてループ状に回線接続し、同一の信号を順逆両方向に伝送するシステムが知られている。
【０００３】
このシステムは、たとえば複数の端局がループ状に双方向の回線により接続されている。端局から信号を伝送すると、入力された信号を２分岐してそれぞれ複数の伝送線路に出力する。２分岐された信号の一方は、順方向に伝送されて他の端局に供給され、他方の信号は逆方向に伝送されて同様に他の端局に供給される。
【０００４】
他の端局はそれらの両方向から入力された信号を受信し、常時監視している。たとえば時計回り方向で伝送されて入力された信号を本線で用いているときに時計回り信号入力に障害発生を検出すると、切換スイッチを用い回線障害時に伝送線路を選択して切り換えて反時計回り方向で伝送されて入力された信号の方に切り換える。これにより、時計回り信号と反時計回り信号とは、全く同一の信号であるので、これにより通信が確保される。
【０００５】
このような回線障害時に伝送線路を選択して切り換えるようにしたものとして、特許文献１では、監視手段としてのモニタ部を有し、そのモニタ部でモニタリングして回線の信号出力の正常／異常を判断し、モニタ部からの出力信号により切換手段のスイッチ制御を行うようにした信号切換装置を提案している。
【０００６】
すなわち、複数の端局Ａ〜Ｄをループ状に回線接続し、同一の信号を順逆両方向に伝送するシステム（図５参照）の各端局Ａ〜Ｄに設けられる信号切換装置１０（図６参照）であって、順方向伝送信号と逆方向伝送信号とがそれぞれ同時に入力され、それぞれ別々にその入力信号に障害があるかどうかを監視する監視手段（モニタ部）１１と、多重／分離部１２を介して得られる順方向伝送信号と逆方向伝送信号中の所望の信号が第１の端子１３ａ及び第２の端子１３ｂにそれぞれ入力されて一方の信号を選択出力するとともに、監視手段（モニタ部）１１により現在選択出力している一方の信号に障害発生有りと検出されたときには、監視手段（モニタ部）１１よりの制御信号により他方の信号を選択するよう切り換わる切換手段１４を有する構成としたものである。
【特許文献１】特開平０８−１０７４２５号公報
【発明の開示】
【発明が解決しようとする課題】
【０００７】
上述した特許文献１に示されている信号切換装置では、監視手段（モニタ部）１１により現在選択出力している一方の信号に障害発生有りと検出されたときには、監視手段（モニタ部）１１からの制御信号により切換手段１４を制御して他方の信号を選択するよう切り換えるようにしている。そのため、切換手段１４を用いて回線障害時に伝送線路を選択して切り換える伝送線路選択切換の制御をハードウェアで行えるようになっている。
【０００８】
また、切換手段１４を用いて回線障害時に伝送線路を選択して切り換える際の２入力１出力の切換制御をハードウェアで行えるようにして、回線の状況を監視するために専用の監視手段（モニタ部）１１を有している。
【０００９】
しかし、障害の有無を監視する監視手段（モニタ部）１１にあっては、具体的にどのような方法で障害の有無を感知するのかといったことが示されていない。
【００１０】
一方、回線自体に何ら障害が発生していないにもかかわらず、放送波の一部が途絶した場合でも異常を検知して予備回線に切り換えることが必要となる。また、放送波の一部が途絶しても、放送の休止時にはそれを異常とは判断せずに回線を切り換えないことも必要となる。
【００１１】
このようなことから、回線自体に何ら障害が発生していないにもかかわらず、放送波の一部が途絶した場合でも異常を検知して予備回線に切り換えることができ、また、放送波の一部が途絶しても、放送の休止時にはそれを異常とは判断せずに回線を切り換えないようにすることができる装置の開発が望まれていた。
【００１２】
本発明は、このような状況に鑑みてなされたものであり、上記問題点を解決することができる伝送線路選択切換装置及び伝送線路選択切換方法を提供することを目的とする。
【課題を解決するための手段】
【００１３】
本発明の伝送線路選択切換装置は、伝送システムにおける、本線及び少なくとも１本の予備回線で構成された複数の伝送線路からの入力信号を切り換える伝送線路選択切換装置であって、複数の伝送線路のいずれかを選択し、該選択した伝送線路からの入力信号を出力する回線切換手段と、前記本線からの入力信号を検波して出力する第１の検波手段と、該第１の検波手段の出力の変動と前記伝送システムにおける送信有無を示す送信有無情報とに基づき前記回線切換手段による切り換えを制御する制御手段とを備え、前記制御手段は、前記出力の変動があるとき、前記送信有無情報に基づき異常の有無を判断し、異常と判断した場合は前記回線切換手段による切り換えを制御することを特徴とする。
また、前記制御手段は、前記送信有無情報に送信なしが示されていれば正常と判断し、前記送信有無情報に送信ありが示されていれば異常と判断して前記回線切換手段による切り換えを制御するようにすることができる。
また、前記本線からの入力信号を分配する分配手段と、該分配手段によって分配された入力信号から所定の信号を抽出する信号抽出手段と、該信号抽出手段の出力を検波して出力する第２の検波手段とを備え、前記制御手段は、前記第２の検波手段の出力の変動に応じて異常の内容を判断するようにすることができる。
また、前記信号抽出手段によって抽出される信号はパイロット信号であるようにすることができる。
本発明の伝送線路選択切換方法は、伝送システムにおける、本線及び少なくとも１本の予備回線で構成された複数の伝送線路からの入力信号を切り換える伝送線路選択切換方法であって、回線切換手段により、複数の伝送線路のいずれかを選択し、該選択した伝送線路からの入力信号を出力する工程と、第１の検波手段により、前記本線からの入力信号を検波して出力する工程と、制御手段により、該第１の検波手段の出力の変動と前記伝送システムにおける送信有無を示す送信有無情報とに基づき前記回線切換手段による切り換えを制御する工程とを有し、前記制御手段は、前記出力の変動があるとき、前記送信有無情報に基づき異常の有無を判断し、異常と判断した場合は前記回線切換手段による切り換えを制御するようにすることができる。
また、前記制御手段は、前記送信有無情報に送信なしが示されていれば正常と判断し、前記送信有無情報に送信ありが示されていれば異常と判断して前記回線切換手段による切り換えを制御するようにすることができる。
また、分配手段により、前記本線からの入力信号を分配する工程と、信号抽出手段により、該分配手段によって分配された入力信号から所定の信号を抽出する工程と、第２の検波手段により、該信号抽出手段の出力を検波して出力する工程とを有し、前記制御手段により、前記第２の検波手段の出力の変動に応じて異常の内容を判断するようにすることができる。
また、前記信号抽出手段によって抽出される信号はパイロット信号であるようにすることができる。
本発明の伝送線路選択切換装置及び伝送線路選択切換方法では、回線切換手段により、複数の伝送線路のいずれかが選択され、該選択された伝送線路からの入力信号が出力され、第１の検波手段により、本線からの入力信号が検波されて出力され、制御手段により、第１の検波手段の出力の変動と伝送システムにおける送信有無を示す送信有無情報とに基づき、第１の検波手段の出力の変動があるとき、制御手段により送信有無情報に基づき異常の有無が判断され、異常と判断され場合は回線切換手段による切り換えが制御される。
【発明の効果】
【００１４】
本発明の伝送線路選択切換装置及び伝送線路選択切換方法によれば、回線切換手段により、複数の伝送線路のいずれかが選択され、該選択された伝送線路からの入力信号が出力され、第１の検波手段により、本線からの入力信号が検波されて出力され、制御手段により、第１の検波手段の出力の変動と伝送システムにおける送信有無を示す送信有無情報とに基づき、第１の検波手段の出力の変動があるとき、制御手段により送信有無情報に基づき異常の有無が判断され、異常と判断され場合は回線切換手段による切り換えが制御されるようにしたので、回線自体に何ら障害が発生していないにもかかわらず、放送波の一部が途絶した場合でも異常を検知して予備回線に切り換えることができ、また、放送波の一部が途絶しても、放送の休止時にはそれを異常とは判断せずに回線を切り換えないようにすることができる。
【発明を実施するための最良の形態】
【００１５】
本実施形態では、回線切換手段により、複数の伝送線路のいずれかが選択され、該選択された伝送線路からの入力信号が出力され、第１の検波手段により、本線からの入力信号が検波されて出力されると、制御手段により、第１の検波手段の出力の変動と伝送システムにおける送信有無を示す送信有無情報とに基づき、第１の検波手段の出力の変動があるとき、送信有無情報に送信なしが示されていれば正常と判断し、送信有無情報に送信ありが示されていれば異常と判断して回線切換手段による切り換えが制御されるようにした。
【００１６】
この場合、たとえば複数のキャリア（搬送波）で構成された放送波の信号は、キャリア（搬送波）数と放送波信号の電圧レベルとがリニアな関係にあることに基づき、信号出力の電気信号レベルの変動の有無により回線の正常／異常を判断することが可能となり、現用回線が異常と判断した場合には予備回線への切り換えが可能となるとともに、送信有無情報に送信なしが示されていれば正常と判断され、送信有無情報に送信ありが示されていれば異常と判断されることから、回線自体に何ら障害が発生していないにもかかわらず、放送波の一部が途絶した場合でも異常を検知して予備回線に切り換えることができ、また、放送波の一部が途絶しても、放送の休止時にはそれを異常とは判断せずに回線を切り換えないようにすることができる。
【００１７】
すなわち、搬送波は深夜の放送休止等で送信されないことがあるが、放送実施、放送休止のスケジュール情報（送信有無情報）を基に、搬送波のレベルが変動する時間帯を予めスケジューリングしておくことで、送信有無情報と搬送波の信号のレベルの変動の有無により回線の正常／異常を判断することが可能となり、現用回線が異常と判断した場合には予備回線に切り換えることが可能となる。
【００１８】
また、本実施形態では、分配手段により、本線からの入力信号が分配され、信号抽出手段により、該分配手段によって分配された入力信号から所定の信号が抽出され、第２の検波手段により、該信号抽出手段の出力が検波されて出力されると、制御手段により、第２の信号変換手段の出力の変動に応じて異常の内容が判断されるようにした。
【００１９】
この場合、搬送波のうちパイロット信号は放送の有無に関わらず常時送信されているため、そのパイロット信号のレベルの変動の有無により、第１の検波手段の出力の変動があって異常であると判断された際に、そのパイロット信号に変動があれば回線に異常の可能性があると判断することができ、そのパイロット信号に変動がなければ端局のＨＥ（ヘッドエンド）の送信側に異常の可能性があると判断することができるので異常の原因を判別することができる。
【実施例】
【００２０】
以下、本発明の詳細を図面に基づいて説明する。図１は、本発明の伝送線路選択切換装置を光ＣＡＴＶシステムに適用した場合の一実施例を説明するための図である。
【００２１】
同図に示す光ＣＡＴＶシステムは、冗長を確保する目的で伝送線路１１９と伝送線路１２０とをループ状に構成している。ここで、伝送線路１１９と伝送線路１２０とはそれぞれ時計方向、反時計方向に信号を伝送する光ファイバにより構成されている。
【００２２】
ＨＥ（ヘッドエンド）１００の光送信機１１５，１１７からそれぞれ時計方向、反時計方向に同一内容で送信された信号は、それぞれ各ＳＨＥ（サブヘッドエンド）１０１〜１０４、各ＳＨＥ（サブヘッドエンド）１０４〜１０１を経由してＨＥ１００の光受信機１１６，１１８に戻ってくる。なお、図中符号１０７〜１１４は光カップラである。
【００２３】
ここで、各ＳＨＥ（サブヘッドエンド）１０１〜１０４の伝送線路選択切換装置１２０Ａは、右回りの伝送線路１１９を選択しているものとする。この状態で、１２１の位置で伝送線路１１９，１２０が切断された場合を考える。
【００２４】
この場合には、ＳＨＥ（サブヘッドエンド）１０１，１０２は、時計方向の光信号を正常状態で受信可能であり、伝送線路選択切換装置１２０Ａによる回線選択を切り換える必要はない。
【００２５】
ただし、ＳＨＥ（サブヘッドエンド）１０３，１０４は、時計方向の光信号が受信できない状態となるため、伝送線路選択切換装置１２０Ａにより、反時計方向の伝送線路１２０を選択切換することにより、光信号の受信が可能となる。
【００２６】
このようなループ状の伝送線路１１９，１２０を構成し、伝送線路１１９，１２０の断線事故が発生した場合でも伝送線路選択切換装置１２０Ａにより伝送線路１１９，１２０を切り換えることによりサービスを停止することなく、復旧作業を行うことが可能となる。また、どこのＳＨＥ（サブヘッドエンド）１０１〜１０４の伝送線路選択切換装置１２０Ａが動作したかを確認することにより、どこのＳＨＥ（サブヘッドエンド）１０１〜１０４の間の伝送線路１１９，１２０で異常が発生したかを知ることができる。
【００２７】
また、たとえば各ＳＨＥ（サブヘッドエンド）１０１〜１０４に、無線受信器１４４からの信号が周波数変換器１４５で変換され予備回線１４６を介して取り込まれるようにした場合には、たとえばループ状の伝送線路１１９，１２０の両方に同時に障害が発生し、いずれの伝送線路１１９，１２０からも信号を得られないとき、無線受信器１４４からの信号を得ることができ、無線によるバックアップが可能となる。
【００２８】
図２は、各ＳＨＥ（サブヘッドエンド）１０１〜１０４の伝送線路選択切換装置１２０Ａの詳細を説明するための図である。なお、以下に説明する図においては、説明の都合上、伝送線路１１９と、無線受信器１４４からの予備回線１４６とのいずれかが選択される場合を示している。
【００２９】
ここで、伝送線路１１９を現用系統とし、予備回線１４６を予備系統とする。また、これらの伝送線路１１９及び予備回線１４６には、それぞれに同一の放送波が流れるとともに、それらの放送波には複数のキャリア（搬送波）が含まれているものとする。
【００３０】
同図において、符号１２１は分配器であり、伝送線路１１９からの信号を分配器１２２側と切換スイッチ１３１側とに分ける。分配器１２２では、分配器１２１からの信号をさらに検波器１２３側とバンドパスフィルタ１２６側とに分ける。
【００３１】
検波器１２３では分配器１２２からの信号を直流成分に変換して出力すると、その出力が増幅器１２４によって所望の電圧レベルとされる。そして、増幅器１２４からの信号はＡＤコンバータ１２５によってデジタル信号に変換され、コントローラ１３０に出力される。
【００３２】
一方、バンドパスフィルタ１２６では分配器１２２からの信号から特定のキャリア（搬送波）に含まれているたとえばパイロット信号のみが抽出され、さらに検波器１２７でその信号が直流成分に変換されて出力されると、その出力が増幅器１２８によって所望の電圧レベルとされる。そして、増幅器１２８からの信号はＡＤコンバータ１２９によってデジタル信号に変換され、コントローラ１３０に出力される。
【００３３】
コントローラ１３０は、たとえばパイロット信号の変化に応じて切換スイッチ１３１を制御し、切換スイッチ１３１を接点ａ又は接点ｂに切り換える。ここで、接点ａは伝送線路１１９からの信号を取り込む側であり、接点ｂは予備回線１４６からの信号を取り込む側である。
【００３４】
なお、図中符号１４０は時刻情報を与える時計であり、符号１４１はたとえば伝送線路１１９又は予備回線１４６のいずれが選択されているかを表示する表示器であり、符号１４２は電話回線への接続制御を行う電話回線制御装置であり、符号１４３はネットワークとのデータのやり取りを受け持つＬＡＮインタフェースである。
【００３５】
次に、伝送線路選択切換装置１２０Ａの動作について説明する。
【００３６】
まず、現用回線である伝送線路１１９からの信号が取り込まれているとき、検波器１２３により伝送線路１１９からの入力信号が検波され直流成分に変換されて出力され、増幅器１２４により検波器１２３の出力が所望の電圧レベルまで増幅され、ＡＤコンバータ１２５により増幅器１２４の出力がデジタル信号に変換されてコントローラ１３０に与えられる。つまり、ここでは放送波の検波出力がコントローラ１３０に与えられることになる。
【００３７】
また、分配器１２２により分配された伝送線路１１９からの入力信号がバンドパスフィルタ１２６に取り込まれると、そのバンドパスフィルタ１２６によりその入力信号から所定の信号（パイロット信号）が抽出され、検波器１２７によりバンドパスフィルタ１２６の出力が検波され直流成分に変換して出力され、増幅器１２８により検波器１２７の出力が所望の電圧レベルまで増幅され、ＡＤコンバータ１２９により増幅器１２８の出力がデジタル信号に変換されてコントローラ１３０に与えられる。つまり、ここではパイロット信号の検波出力がコントローラ１３０に与えられることになる。
【００３８】
ここで、分配器１２２から分配された信号には、全てのキャリア（搬送波）が含まれており、たとえばキャリア（搬送波）数が８の場合、そのキャリア（搬送波）数と検波器１２３の出力での電圧レベルとの関係は図３のようなリニアな関係となる。よって、検波器１２３の出力電圧を測定することにより、キャリア（搬送波）数を知ることが可能である。
【００３９】
ここで、コントローラ１３０は、ＡＤコンバータ１２５からのデジタル信号を受け取り、放送波の出力に変化があるかどうかを確認し、放送波の出力に変化がなければ正常であると判断することができる。
【００４０】
これに対し、放送波の出力に変化があるときは時間帯により図４に示すテーブルの条件を参照する。例えば、時間帯が深夜（例えば１時〜４時）の場合は図４に示すテーブルが、深夜（例えば１時〜４時）で放送波の送信の有無を確認する。
【００４１】
すなわち、図４に示すテーブルには、放送実施、放送休止のスケジュール情報（送信有無情報）に基づいて送信に障害があるかないかを判断するための条件が登録されている。ここで、スケジュール情報（送信有無情報）とは、ＥＰＧ（電子番組表）のように、放送局、放送時間帯、放送休止時間帯等を示す情報である。
【００４２】
ここで、放送波の出力に変化があっても、深夜（例えば１時〜４時）で放送波の送信がなしの場合は、送信が正常であると判断することができる。
【００４３】
一方、時間帯が昼間・夜間の場合、同様に、上述したテーブルの条件を参照し、昼間・夜間で放送波の送信の有無を確認する。
【００４４】
昼間・夜間でスケジュール情報（送信有無情報）が放送波の送信ありの場合は障害が発生したと判断し、切換スイッチ１３１を接点ａから接点ｂに切り換えることで、予備回線１４６からの信号を取り込むことができるようになる。
【００４５】
これに対し、昼間・夜間であってもスケジュール情報（送信有無情報）が放送波の送信がなしの場合は、正常であると判断することができる。
【００４６】
なお、放送波の出力に変化があって、スケジュール情報（送信有無情報）に放送波の送信がある場合は、送信に障害が発生したと判断することが可能となるが、ここでさらに検波器１２７の出力（パイロット信号）に変化があるかどうかを確認するようにすれば、障害の内容をさらに詳しく判別することが可能となる。
【００４７】
すなわち、伝送線路１１９を介しての放送は深夜帯のように放送を停止する場合があるが、検波器１２７からの出力であるパイロット信号は、伝送線路１１９又は上述したＨＥ（ヘッドエンド）１００に障害がない限り、伝送線路１１９に絶えず流れている。
【００４８】
そこで、放送波の出力に変化があって、送信に障害が発生したと判断されたとき、検波器１２７の出力（パイロット信号）に変化がある場合は伝送線路１１９に障害ありの可能性ありと判断することができ、検波器１２７の出力（パイロット信号）に変化がない場合はＨＥ（ヘッドエンド）１００に障害ありの可能性ありと判断することができる。
【００４９】
なお、放送波の出力に変化があってスケジュール情報（送信有無情報）に放送波の一部が途絶していることが示されていた場合は第一段階で送信は正常と判断するが、さらに第二段階において、スケジュール情報（送信有無情報）から放送されているキャリア（搬送波）数が分かるため検波器１２３の出力の電圧レベルが予定されているキャリア（搬送波）数に満たないときは、ＨＥ（ヘッドエンド）１００に障害ありと判断することができるので、さらに詳細に異常の有無を判断することができる。
【００５０】
すなわち、図３に示したキャリア（搬送波）数と検波器１２３の出力での電圧レベルとはリニアな関係にあるため、そのリニアな関係から検波器１２３の出力の電圧レベルによりキャリア（搬送波）数を判別することができるためである。
【００５１】
このように、本実施例では、回線切換手段としての切換スイッチ１３１により、複数の伝送線路であるたとえば本線である伝送線路１１９又は予備回線１４６のうち、伝送線路１１９が選択されているとき、該選択された伝送線路１１９からの入力信号が出力され、第１の検波手段としての検波器１２３により、伝送線路１１９からの入力信号が検波され直流成分に変換されて出力され、増幅器１２４により、該検波器１２３の出力が所望の電圧レベルまで増幅され、ＡＤコンバータ１２５により、該増幅器１２４の出力がデジタル信号に変換され、制御手段としてのコントローラ１３０により、該ＡＤコンバータ１２５の出力の変動と放送実施、放送休止のスケジュール情報（送信有無情報）とを基に、切換スイッチ１３１による切り換えが制御されるようにしたので、回線自体に何ら障害が発生していないにもかかわらず、放送波の一部が途絶した場合でも異常を検知して予備回線１４６に切り換えることができ、また、放送波の一部が途絶しても、放送の休止時にはそれを異常とは判断せずに回線を切り換えないようにすることができる。
【００５２】
また、本実施例では、分配手段としての分配器１２２により、伝送線路１１９からの入力信号が分配され、信号抽出手段としてのバンドパスフィルタ１２６により、該分配器１２２によって分配された入力信号から所定の信号（パイロット信号）が抽出され、第２の検波手段としての検波器１２７により、該バンドパスフィルタ１２６の出力が検波され直流成分に変換して出力され、増幅器１２８により、該検波器１２７の出力が所望の電圧レベルまで増幅され、ＡＤコンバータ１２９により、該増幅器１２８の出力がデジタル信号に変換されると、コントローラ１３０により、ＡＤコンバータ１２９の出力の変動に応じて異常の内容が判断されるようにした。
【００５３】
この場合、搬送波のうちパイロット信号は放送の有無に関わらず常時送信されているため、そのパイロット信号のレベルの変動の有無により、検波器１２３の出力の変動があって異常であると判断された際に、そのパイロット信号に変動があれば回線に異常の可能性があると判断することができ、そのパイロット信号の出力に変動がなければ送信側であるＨＥ（ヘッドエンド）１００に異常の可能性があると判断することができる。
【産業上の利用可能性】
【００５４】
光ＣＡＴＶシステムに限らず、データを転送するデータ転送システムにも適用可能である。
【図面の簡単な説明】
【００５５】
【図１】本発明の伝送線路選択切換装置を光ＣＡＴＶシステムに適用した場合の一実施例を説明するための図である。
【図２】図１の各ＳＨＥ（サブヘッドエンド）の伝送線路選択切換装置の詳細を説明するための図である。
【図３】図１の伝送線路選択切換装置の検波器におけるキャリア（搬送波）数と、検波出力の電圧レベルとの関係を説明するための図である。
【図４】図２の伝送線路選択切換装置のコントローラにおける、検波器の出力の変化に伴う伝送線路又はＨＥ（ヘッドエンド）に障害が発生したかどうかを判断する際に参照するテーブルを説明するための図である。
【図５】従来の複数の端局をループ状に回線接続して信号を伝送するシステムを示す図である。
【図６】図５の複数端局に設けられる信号切換装置を示す図である。
【符号の説明】
【００５６】
１００  ＨＥ（ヘッドエンド）
１０１〜１０４  ＳＨＥ（サブヘッドエンド）
１０７〜１１４  光カップラ
１１５，１１７  光送信機
１１６，１１８  光受信機
１１９，１２０  伝送線路
１２０Ａ  伝送線路選択切換装置
１２１，１２２  分配器
１２３，１２７  検波器
１２４，１２８  増幅器
１２５，１２９  ＡＤコンバータ
１２６  バンドパスフィルタ
１３０  コントローラ
１３１  切換スイッチ
１４０  時計
１４１  表示器
１４２  電話回線制御装置
１４３  ＬＡＮインタフェース
１４４  無線受信器
１４５  周波数変換器
１４６  予備回線
【図１】
2009124545.tif 000003
【図２】
2009124545.tif 000004
【図３】
2009124545.tif 000005
【図４】
2009124545.tif 000006
【図５】
2009124545.tif 000007
【図６】
2009124545.tif 000008